(57)【特許請求の範囲】
【請求項１】
回転駆動される円盤状の情報記録媒体に対して情報の再生、記録又は消去を行なう情報記録媒体駆動装置において、
装置筐体から突出した突出位置と前記装置筐体内部に挿入された挿入位置との間で移動自在に設けられて、前記情報記録媒体を保持するローディングトレイと、
前記装置筐体内部に設けられて、前記ローディングトレイを移動自在に保持するシャーシと、
前記ローディングトレイと共に移動して、該ローディングトレイに対して媒体着脱方向に移動自在に設けられて、情報記録媒体を回転駆動させるディスク駆動手段と、
前記シャーシ内に設けられて、前記情報記録媒体の記録面に光を照射する光ピックアップ装置と、
前記シャーシ内に設けられて、前記光ピックアップ装置を記録面に沿って駆動するスレッジ駆動機構と、
前記ローディングトレイに設けられて、前記光ピックアップ装置を記録面に沿って駆動するスレッジ駆動機構と、
前記ローディングトレイが前記突出位置にあるときには前記ディスク駆動手段を前記情報記録媒体から離れた退避位置に位置させ、前記ローディングトレイが前記挿入位置にあるときには前記ディスク駆動手段を前記情報記録媒体を装着位置に位置させるよう、前記シャーシの内壁面両側に設けられたガイド溝の設定に応じてディスク駆動手段のディスク着脱方向の位置を制御するディスク駆動手段位置制御機構と、を備えることを特徴とする情報記録媒体駆動装置。
【請求項２】
回転駆動される円盤状の情報記録媒体に対して情報の再生、記録又は消去を行なう情報記録媒体駆動装置において、
装置筐体から突出した突出位置と前記装置筐体内部に挿入された挿入位置との間で移動自在に設けられて、前記情報記録媒体を保持するローディングトレイと、
前記装置筐体内部に設けられて、前記ローディングトレイを移動自在に保持するシャーシと、
前記ローディングトレイと共に移動して、該ローディングトレイに対して媒体着脱方向に移動自在に設けられて、前記情報記録媒体を回転駆動させるディスク駆動手段と、
前記ローディングトレイに設けられて、前記情報記録媒体の記録面に光を照射する光ピックアップ装置と、
前記ローディングトレイに設けられて、前記光ピックアップ装置を記録面に沿って駆動するスレッジ駆動機構と、
前記ローディングトレイが前記突出位置にあるときには前記ディスク駆動手段を前記情報記録媒体から離れた退避位置に位置させ、前記ローディングトレイが前記挿入位置にあるときには前記ディスク駆動手段を前記情報記録媒体を装着位置に位置させるよう、前記シャーシの内壁面両側に設けられたガイド溝の設定に応じてディスク駆動手段のディスク着脱方向の位置を制御するディスク駆動手段位置制御機構と、を備えることを特徴とする情報記録媒体駆動装置。
【請求項３】
内蔵された前記情報記録媒体の一部を露出させる開口部が形成されたケースと前記開口部を遮蔽するシャッタとを有するキャディに対して、前記シャッタを開閉させるシャッタオープナと、
前記ローディングトレイが前記突出位置から前記挿入位置に移動する際には前記シャッタを開放させた後に前記ディスク駆動手段を前記開口部を通して前記キャディ内の前記情報記録媒体に近づけて装着させ、前記ローディングトレイが前記挿入位置から前記突出位置に移動する際には前記ディスク駆動手段を前記情報記録媒体から離れて前記開口部外の退避位置に移動させた後に前記シャッタを遮蔽させるように前記ローディングトレイの移動動作に連動するディスク駆動手段・シャッタオープナ動作タイミング制御機構と、を備えることを特徴とする請求項１又は２記載の情報記録媒体駆動装置。
【請求項４】
前記ローディングトレイは、前記情報記録媒体が内蔵されたキャディを搭載するキャディ搭載面と前記情報記録媒体を直接搭載する裸媒体搭載面とを有し、前記ディスク駆動手段位置制御機構は、前記ローディングトレイが前記突出位置にあるときには前記ディスク駆動手段の先端部を前記キャディ搭載面より退避位置側であって、前記裸媒体搭載面より装着位置側に位置させることを特徴とする請求項１又は２記載の情報記録媒体駆動装置。
【請求項５】
前記ディスク駆動手段は、その先端部に、前記情報記録媒体を搭載するターンテーブルと、このターンテーブルに前記情報記録媒体を案内する傾斜部と、この傾斜部と前記ターンテーブルとの間に設けられて前記情報記録媒体の中心穴に対応する円筒部とを備え、
前記ローディングトレイは、前記情報記録媒体を直接搭載する裸媒体搭載面を備え、
前記ローディングトレイが前記突出位置にあるときには前記ターンテーブルの位置が前記裸媒体搭載面の位置より装着位置側に突出していることを特徴とする請求項１又は２記載の情報記録媒体駆動装置。
【請求項６】
前記ディスク駆動手段位置制御機構は、前記ローディングトレイの前記突出位置と前記挿入位置との間の移動に連動して前記ディスク駆動手段を情報記録媒体の着脱方向に移動自在な移動プレートを備え、この移動プレートはキャディ位置決めピンを備えることを特徴とする請求項１又は２記載の情報記録媒体駆動装置。
【請求項７】
前記情報記録媒体は、裸媒体又は情報記録媒体をキャディに内蔵する形態であって、
前記シャーシ内に設けられて、前記裸媒体を挟持する位置に配置されたクランパを有し、
前記ローディングトレイに前記裸ディスクが搭載されたときは、前記挿入位置において前記ディスク駆動手段と前記クランパで該裸媒体を挟持し、
前記ローディングトレイに前記キャディが搭載されたときは、前記挿入位置において前記クランパは該キャディの移動に応じて退避して、前記ディスク駆動手段と該キャディの内蔵クランパで該キャディ内の情報記録媒体を挟持することを特徴とする請求項１又は２記載の情報記録媒体駆動装置。
【発明の詳細な説明】
【０００１】
【発明の属する技術分野】
本発明は、情報記録媒体駆動装置に関する。
【０００２】
【従来の技術】
従来、この種の情報記録媒体駆動装置として、例えば、特開平９−２２３３４８号公報によれば、情報記録媒体としてのディスクを装着或いは排出する際に、ローディングトレイ（ドロワ型）をイジェクト方向に駆動させる方法が開示されている。即ち、このローディングトレイには、ディスクを回転させるスピンドルモータ、光ピックアップ、この光ピックアップをディスク半径方向に移動させる送り機構、及び、これらを信号回路的に接続するフレキシブル配線板からなる駆動ユニットが搭載されて、ドロワ型とされている。このため、ディスク着脱時には、ドライブ装置からローディングトレイが突出するので、使用者がディスクを直接駆動ユニットのスピンドルモータのターンテーブル上に着脱操作を行なうことになる。ターンテーブルにはラッチ機構が設けられており、ディスクの着脱が自在とされている。
【０００３】
この方式（ドロワ型）の利点は、トレイに駆動ユニットのない単なるトレイ方式に比べて、ディスクをスピンドルモータのターンテーブル上に着脱するためのクランピング機構が不要なこと、ディスク装着／排出時にトレイの摺動動作に合せて、駆動ユニットがトレイから退避するための駆動ユニット退避機構とその移動ストローク分のスペースが不要になること、がある。このため、特にドライブ装置の薄型化が望まれるノート型パソコンへの内蔵用ドライブ装置には、このようなドロワ型が採用される。一方、スロットサイズが固定されているために薄型化の必要がないデスクトップ型或いはタワー型のパソコンへの内蔵用にはトレイ型が採用されている。
【０００４】
【発明が解決しようとする課題】
ところで、ＣＤ（Ｃompact Ｄisk）やＤＶＤ（Ｄigital Ｖersatile Ｄisk）は円盤状ディスク（裸ディスク）であるが、記録可能なＣＤ−Ｒ（Ｒecodable），ＣＤ−ＲＷ（Ｒewritable），ＤＶＤ−Ｒ，ＤＶＤ−ＲＷ，ＤＶＤ−ＲＡＭ等のディスクは矩形状のキャディに収納されて使用される形態とされている。
【０００５】
このため、ドライブ装置としては、裸ディスクとキャディとの両方に対応し得ることが要求される。
【０００６】
ここに、現に市販されているキャディには、鉄板を有するクランパが内蔵されており、スピンドルモータのターンテーブルの永久磁石との間で磁気的吸引力を作用させることで、キャディ内のディスクをスピンドルモータのターンテーブルとクランパとで挟持させることを意図している。
【０００７】
ところが、前述した公報例のような従来のドロワ型のディスク装着／排出方式を採用したドライブ装置では、スピンドルモータの先端部側にラッチ機構を設けて、使用者が裸ディスクをラッチ機構に係止させる構成としている。このため、このようなラッチ機構を有するスピンドルモータには、キャディに内蔵されたディスクを取り付けることはできない。
【０００８】
また、前述した公報例の場合、ローディングトレイにおいて、スピンドルモータのターンテーブルの近傍には光ピックアップが配設されている。このため、ディスク装着／排出操作に際して、ユーザの手や指が光ピックアップ頂部の対物レンズに触れる可能性がある。この結果、対物レンズの汚れ、指紋付着、傷付け等により光スポットが劣化する可能性がある。また、対物レンズを駆動するアクチュエータの支持部材（板ばね、ワイヤ等）の変形、破損などによる駆動特性の劣化の可能性もある。また、光ピックアップに搭載された各光学部品並びにそれらを信号回路的に結んでいるフレキシブル基板などが変形、破損する可能性もある。さらには、光ピックアップをディスク半径方向に移動させる送り機構に設けられた軸受へのごみ等の付着、ガイドレールを傷付けること等による光ピックアップの送り特性の劣化の可能性もある。このように、ディスクに対して実際に再生、記録、消去動作を行なう光ピックアップをユーザが直接触り得る構成にすると、ドライブ装置の信頼性を著しく低下させてしまう。
【０００９】
そこで、本発明は、薄型化を図れる情報記録媒体駆動装置を提供することを目的とする。
【００１０】
また、本発明は、上記目的を達成する上で、併せて、ディスク装着／排出時を問わず、光ピックアップにユーザが手を触れることを確実になくし、上記の各種の不都合を回避できるようにする。
【００１２】
また、本発明は、上記目的を達成する上で、ローディングトレイ、スピンドルモータ部分の薄型化を図る。
【００１４】
【課題を解決するための手段】
請求項１記載の発明は、回転駆動される円盤状の情報記録媒体に対して情報の再生、記録又は消去を行なう情報記録媒体駆動装置において、装置筐体から突出した突出位置と前記装置筐体内部に挿入された挿入位置との間で移動自在に設けられて、前記情報記録媒体を保持するローディングトレイと、前記装置筐体内部に設けられて、前記ローディングトレイを移動自在に保持するシャーシと、前記ローディングトレイと共に移動して、該ローディングトレイに対して媒体着脱方向に移動自在に設けられて、情報記録媒体を回転駆動させるディスク駆動手段と、前記シャーシ内に設けられて、前記情報記録媒体の記録面に光を照射する光ピックアップ装置と、前記シャーシ内に設けられて、前記光ピックアップ装置を記録面に沿って駆動するスレッジ駆動機構と、前記ローディングトレイに設けられて、前記光ピックアップ装置を記録面に沿って駆動するスレッジ駆動機構と、前記ローディングトレイが前記突出位置にあるときには前記ディスク駆動手段を前記情報記録媒体から離れた退避位置に位置させ、前記ローディングトレイが前記挿入位置にあるときには前記ディスク駆動手段を前記情報記録媒体を装着位置に位置させるよう、前記シャーシの内壁面両側に設けられたガイド溝の設定に応じてディスク駆動手段のディスク着脱方向の位置を制御するディスク駆動手段位置制御機構と、を備える。
【００１５】
従って、裸ディスク状の情報記録媒体であってもキャディに内蔵された情報記録媒体であっても、突出位置にあるローディングトレイ上でディスク駆動手段に着脱することができ、媒体の形態を問わず、その情報の再生、記録又は消去が可能となる。同時に、ディスク駆動手段が情報記録媒体を脱着するために移動する移動空間を装置筐体外部に設けることが可能であり、装置の薄型化を図れる。さらに、光ピックアップはシャーシ内に設けられており、常に装置筐体内部にあるため、ディスク装着／排出時であっても、ユーザの手や指が触れることがなく、光ピックアップにごみ、埃などのコンタミネーションが付着する等の不具合を回避することができる。
【００１６】
請求項２記載の発明は、回転駆動される円盤状の情報記録媒体に対して情報の再生、記録又は消去を行なう情報記録媒体駆動装置において、装置筐体から突出した突出位置と前記装置筐体内部に挿入された挿入位置との間で移動自在に設けられて、前記情報記録媒体を保持するローディングトレイと、前記装置筐体内部に設けられて、前記ローディングトレイを移動自在に保持するシャーシと、前記ローディングトレイと共に移動して、該ローディングトレイに対して媒体着脱方向に移動自在に設けられて、前記情報記録媒体を回転駆動させるディスク駆動手段と、前記ローディングトレイに設けられて、前記情報記録媒体の記録面に光を照射する光ピックアップ装置と、前記ローディングトレイに設けられて、前記光ピックアップ装置を記録面に沿って駆動するスレッジ駆動機構と、
前記ローディングトレイが前記突出位置にあるときには前記ディスク駆動手段を前記情報記録媒体から離れた退避位置に位置させ、前記ローディングトレイが前記挿入位置にあるときには前記ディスク駆動手段を前記情報記録媒体を装着位置に位置させるよう、前記シャーシの内壁面両側に設けられたガイド溝の設定に応じてディスク駆動手段のディスク着脱方向の位置を制御するディスク駆動手段位置制御機構と、を備える。
【００１７】
従って、請求項１記載の発明と同様であるが、光ピックアップがローディングトレイに設けられているため、光ピックアップに手が触れる可能性はあるものの、構成をより一層簡単にできる。
【００１８】
請求項３記載の発明は、請求項１又は２記載の情報記録媒体駆動装置に加えて、内蔵された前記情報記録媒体の一部を露出させる開口部が形成されたケースと前記開口部を遮蔽するシャッタとを有するキャディに対して、前記シャッタを開閉させるシャッタオープナと、前記ローディングトレイが前記突出位置から前記挿入位置に移動する際には前記シャッタを開放させた後に前記ディスク駆動手段を前記開口部を通して前記キャディ内の前記情報記録媒体に近づけて装着させ、前記ローディングトレイが前記挿入位置から前記突出位置に移動する際には前記ディスク駆動手段を前記情報記録媒体から離れて前記開口部外の退避位置に移動させた後に前記シャッタを遮蔽させるように前記ローディングトレイの移動動作に連動するディスク駆動手段・シャッタオープナ動作タイミング制御機構と、を備える。
【００１９】
従って、ローディングトレイが突出位置から挿入位置に移動する際にはシャッタオープナによりシャッタを移動させてキャディの開口部を開放させた後に、ディスク駆動手段がキャディの開口部を通して情報記録媒体に近づいて装着し、ローディングトレイが挿入位置から突出位置に移動する際には、ディスク駆動手段が情報記録媒体から離れてキャディの開口部外に位置した後、シャッタオープナがキャディの開口部を閉じるので、キャディが装填された場合にはローディングトレイの移動に連動して自動的にシャッタを開閉でき、請求項１又は２記載の発明の実現が容易となる。
【００２０】
請求項４記載の発明は、請求項１又は２記載の情報記録媒体駆動装置において、前記ローディングトレイは、前記情報記録媒体が内蔵されたキャディを搭載するキャディ搭載面と前記情報記録媒体を直接搭載する裸媒体搭載面とを有し、前記ディスク駆動手段位置制御機構は、前記ローディングトレイが前記突出位置にあるときには前記ディスク駆動手段の先端部を前記キャディ搭載面より退避位置側であって、前記裸媒体搭載面より装着位置側に位置させる。
【００２１】
従って、情報記録媒体とディスク駆動手段とが干渉することがなく、請求項１又は２記載の発明の実現が容易となる。
【００２２】
請求項５記載の発明は、請求項１又は２記載の情報記録媒体駆動装置において、前記ディスク駆動手段は、その先端部に、前記情報記録媒体を搭載するターンテーブルと、このターンテーブルに前記情報記録媒体を案内する傾斜部と、この傾斜部と前記ターンテーブルとの間に設けられて前記情報記録媒体の中心穴に対応する円筒部とを備え、前記ローディングトレイは、前記情報記録媒体を直接搭載する裸媒体搭載面を備え、前記ローディングトレイが前記突出位置にあるときには前記ターンテーブルの位置が前記裸媒体搭載面の位置より装着位置側に突出している。
【００２３】
従って、ディスク駆動手段の情報記録媒体着脱時の移動量を小さくすることができ、装置を薄型化しつつ請求項１又は２記載の発明を実現できる。
【００２４】
請求項６記載の発明は、請求項１又は２記載の情報記録媒体駆動装置において、前記ディスク駆動手段位置制御機構は、前記ローディングトレイの前記突出位置と前記挿入位置との間の移動に連動して前記ディスク駆動手段を情報記録媒体の着脱方向に移動自在な移動プレートを備え、この移動プレートはキャディ位置決めピンを備える。
【００２５】
従って、キャディが装着された場合には容易にキャディと情報記録媒体とディスク駆動手段との位置関係を定めることが可能であり、請求項１又は２記載の発明の実現が容易となる。
請求項７記載の発明は、前記情報記録媒体は、裸媒体又は情報記録媒体をキャディに内蔵する形態であって、前記シャーシ内に設けられて、前記裸媒体を挟持する位置に配置されたクランパを有し、前記ローディングトレイに前記裸ディスクが搭載されたときは、前記挿入位置において前記ディスク駆動手段と前記クランパで該裸媒体を挟持し、前記ローディングトレイに前記キャディが搭載されたときは、前記挿入位置において前記クランパは該キャディの移動に応じて退避して、前記ディスク駆動手段と該キャディの内蔵クランパで該キャディ内の情報記録媒体を挟持することを特徴とする。
【００２６】
【発明の実施の形態】
本発明の一実施の形態を図面に基づいて説明する。図１は本実施の形態の情報記録媒体駆動装置の主要部構成を示す概略斜視図である。まず、矩形箱状に形成されて装置筐体（図示せず）に内蔵されたシャーシ１と、このシャーシ１とほぼ同等の大きさで矩形状に形成されてシャーシ１の両側のレール部２にスライド自在に嵌合するガイドレール部３により図１中Ａ・Ｂ方向に移動自在なローディングトレイ４とが設けられている。これにより、基本的に、ローディングトレイ４は装置筐体から外部に突出した突出位置（図１参照）と、装置筐体内部に挿入された挿入位置とを選択的に取り得るように構成されている。
【００２７】
ここに、ローディングトレイ４には、後述する情報記録媒体５（図５等参照）が内蔵されたキャディ６を搭載するための矩形状のキャディ搭載面７と、１２ｃｍディスクなる情報記録媒体８用の裸媒体搭載面９と、８ｃｍディスクなる情報記録媒体（図示せず）用の裸媒体搭載面１０とが同一中心上に段違いに形成されている。また、ローディングトレイ４において、その中心より奥側位置には半径方向に切欠いてなる開口部１１が搭載面９，１０に渡って形成されている。また、ローディングトレイ４の中心部にはディスクを回転駆動させるためのディスク駆動手段としてのスピンドルモータ１２がディスク厚み方向（図１中Ｃ・Ｄ方向＝媒体着脱方向）に対して移動自在に設けられている。１３はローディングトレイ４の手前に設けられて使用者により押し込み操作される化粧板である。
【００２８】
また、シャーシ１側においては、ローディングトレイ４が挿入位置に位置する状態でその開口部１１に相当する位置に位置させて光ピックアップ装置２１が設けられている。この光ピックアップ装置２１は周知構造のもので、特に説明しないが、頂部にはディスクに対向してディスク上に微小スポットを形成する対物レンズ２２を備え、その下部には偏向用の偏向プリズム２３（図６参照）等を備えることで、情報の再生、記録又は消去動作を行なう。このような光ピックアップ装置２１はシャフト２４にガイドされつつリードスクリュ２５によりディスク半径方向に移動自在とされている。リードスクリュ２５はＤＣモータ２６とこのＤＣモータ２６の回転軸先端に設けられたギヤ２７、中間ギヤ２８を介して回転駆動される。これにより、リードスクリュ２５を回転させることにより、光ピックアップ装置２１がディスク半径方向に直線移動されるもので、スレッジ駆動機構２９が構成されている。
【００２９】
ここに、ディスクについて説明すると、キャディ内蔵型、裸ディスク型を問わず、その情報記録媒体５，８には、図２に示すように、クランプ用の中心穴３１が中心に形成されている。一方、スピンドルモータ１２にあっては、図３に示すように、その頂部側にこれらの情報記録媒体５，８が搭載される永久磁石内蔵のターンテーブル３２を有し、さらに、このターンテーブル３２のモータ軸上には中心穴３１に略一致する径の円筒部３３が媒体厚さ程度の高さで形成され、その先端側には円錐テーパ状に先細とされた傾斜部３４が形成されている。最先端部にはシャーシ１側に設けられているクランパ３５（図６等参照）と嵌合するための突出部である。
【００３０】
また、キャディ６について図４及び図５を参照して説明する。キャディ６は円盤状の情報記録媒体５を薄型・矩形箱状のケース４１内に内蔵してなるものであり、このケース４１内の中央部天井面にはクランパ４２が回転自在に保持されている。このクランパ４２には鉄板が埋め込まれており、ターンテーブル３２に内蔵された永久磁石に吸着されることにより、このクランパ４２とターンテーブル３２とでケース４１内の情報記録媒体５を挟持する構造とされている。また、ケース４１の下面側には内蔵された情報記録媒体５に対してスピンドルモータ１２や光ピックアップ装置２１をアクセスさせるための開口部４３が中心付近から半径方向に横切って形成されている。そして、常時はこの開口部４３を遮蔽するシャッタ４４が開閉自在に設けられている。この開口部４３やシャッタ４４は図４に示すようにシャーシ１に対する挿入側に位置しており、シャッタ４４は挿入方向に直交する横方向（図４上、上下方向）に移動自在とされ、常時は遮蔽状態をとるようにばね等で付勢されている。
【００３１】
一方、シャーシ１側においては、クランパ３５がクランピングプレート４５により回転自在に保持されている。このクランピングプレート４５はシャーシ１内両側のレール機構４６により前後方向（図４中、左右方向）に移動可能に設けられている。ここに、クランピングプレート４５は情報記録媒体９，１０には干渉せず、キャディ６のケース４１には干渉する高さ位置に配設されており、キャディ６が挿入された場合にはレール機構４６に従いクランピングプレート４５とともにクランパ３５が奥側に押し込まれるように構成されている。このクランピングプレート４５にはシャッタオープナ４７が搭載されている。このシャッタオープナ４７はクランピンプレート４５上に回動自在に支持されつつシャーシ１の開口側に突出するように形成されたくの字形のもので、その先端にはシャッタ４４に係脱するローラ４８が設けれている。また、このシャッタオープナ４７にはシャッタオープナ４７をシャッタ遮蔽方向に付勢するばね４９が係止されている。これにより、キャディ６がローディングトレイ４とともにシャーシ１内に押し込まれると、その移動に従い、シャッタ４４にローラ４８部分が係止することになり、シャッタオープナ４７がばね４９に抗して反時計方向に回動し、シャッタ４４を開放方向に移動させる。
【００３２】
次に、スピンドルモータ１２の昇降機構について図５等を参照して説明する。まず、スピンドルモータ１２はディスク着脱方向（図５中、上下方向）に移動自在な移動プレート５１上に搭載されて、この移動プレート５１とともにスピンドルモータ１２を退避位置と装着位置との間で変位させるように構成されている。この移動プレート５１の両側にはピン５２を介してリンク５３の一端が回動自在に連結されている。これらのリンク５３自体はローディングプレート４の両側においてピン５４により回動自在に支持されており、他端側はローディングプレート４の先端付近まで延設され、その外面にピン５５が設けられている。シャーシ１側にあっては、その内壁面両側にはピン５５の動きを規制するガイド溝５６が入口部分から奥側まで形成されている。ここに、このガイド溝５６は、スピンドルモータ１２をディスクから離れた退避位置に位置させるようピン５４位置に対してピン５５位置を高い位置に規制するように水平に形成された退避位置用変位部５６ａと、スピンドルモータ１２をディスクを装着する装着位置に位置させるようピン５４位置に対してピン５５位置をほぼ同一高さ位置に規制するように水平に形成された装着位置用変位部５６ｂと、これらの退避位置用変位部５６ａと装着位置用変位部５６ｂとの間を結ぶ傾斜部５６ｃとより形成されている。退避位置用変位部５６ａの高さ位置は、スピンドルモータ１２の先端部をキャディ搭載面７より低い位置（退避位置）であって、裸媒体搭載面９，１０より高い位置（装着位置）に位置させるように設定されている。退避位置用変位部５６ａの長さＬ１はシャッタオープナ４７によるシャッタ４４の開閉動作が終了し得る長さに設定されている。また、退避位置用変位部５６ａの長さＬ１と傾斜部５６ｃの長さＬ２との合計長さはスピンドルモータ１２がシャーシ１の外部に位置する長さに設定されている。このような移動プレート５１、リンク５３及びガイド溝５６によりディスク駆動手段位置制御機構５７が構成され、この内、所定の長さＬ１に形成された退避位置用変位部５６ａ部分によりディスク駆動手段・シャッタオープナ動作タイミング制御機構５８が構成されている。
【００３３】
また、移動プレート５１上にはローディングトレイ４におけるキャディ搭載面７の位置決め穴５９を介してキャディ６の位置決め穴（図示せず）に嵌合するキャディ位置決めピン６０が所定位置に設けられている。
【００３４】
このような構成において、概略動作について説明する。ドライブ装置へディスクを装着する場合は、ローディングトレイ４を図１に示すようにシャーシ１から手前に突出させた突出位置に位置させる。このとき、スピンドルモータ１２はディスクから離れる退避位置に移動している。ユーザは、ＣＤ−Ｒ，ＣＤ−ＲＷ，ＤＶＤ−ＲＷ，ＤＶＤ−ＲＡＭ等のキャディ６に内蔵された情報記録媒体５を使用するときにはキャディ搭載面７にキャディ６を搭載し、直径が１２ｃｍでキャディに内蔵されていないＣＤ−ＲＯＭ，ＤＶＤ−ＲＯＭ等の裸の情報記録媒体８を使用するときには裸媒体搭載面９に直接搭載する。直径が８ｃｍでキャディに内蔵されていないＣＤ−ＲＯＭ，ＤＶＤ−ＲＯＭ等の裸の情報記録媒体を使用するときには裸媒体搭載面１０に直接搭載する。何れかの媒体又はキャディを搭載後、化粧板１３を押圧することにより、ローディングトレイ４をシャーシ１内に押し込む。この押し込み動作に伴うローディングトレイ４の位置に応じて、スピンドルモータ１２がリンク５３、移動プレート１等により装着方向に移動し、スピンドルモータ１２のターンテーブル３２上にディスクが装着される。このとき、ローディングトレイ４には開口部１１が形成されており、シャーシ１内に挿入された状態ではこの開口部１１を介して光ピックアップ装置２１がディスクに対向し、再生、記録又は消去が可能な状態となる。そこで、対物レンズ２２を通してディスクに光スポットを照射することにより、情報の再生、記録又は消去動作が行われる。このとき、光ピックアップ装置２１はＤＣモータ２６によりディスクの所望の半径位置に移動される。
【００３５】
次に、詳細を説明する。まず、図６を参照して、ＣＤ−ＲＯＭ等のキャディに内蔵されない裸タイプの情報記録媒体をドライブ装置に装着する手順について説明する。まず、図６（ａ）はディスク未装着時の状態を示し、ローディングトレイ４はシャーシ１から外部に突出した状態にある（突出位置）。このとき、移動プレート５１上に支持されたスピンドルモータ１２は裸媒体搭載面９，１０から傾斜部３４及び突出部３５のみが突出する位置に規制されている。よって、図６（ｂ）に示すように１２ｃｍの情報記録媒体８を裸媒体搭載面９に載置させた場合には、その中心穴３１には傾斜部３４及び突出部３５のみが入り込んた状態にあり、情報記録媒体８はターンテーブル３２上には接していない。この載置操作は、先細テーパ状の傾斜部３４に中心穴３１を合せればよいので、厳密性を要せず容易である。
【００３６】
このように情報記録媒体８を載置させた後、使用者がローディングトレイ４をシャーシ１内に押し込む操作を行なうと、図６（ｃ）に示す過程を経て、図６（ｄ）に示すような挿入位置に保持される。ここに、途中経過を示す図６（ｃ）では、スピンドルモータ１２がシャーシ１の外部にあるが、この位置に達するまでにスピンドルモータ１２が移動プレート５１、リンク５３、ガイド溝５６の傾斜溝５６ｃ等の作用に基づき、ディスク側に押し上げられる（ピン５５が退避位置用変位部５６ａから傾斜部５６ｃにガイドされて装着位置用変位部５６ｂへ移行する）。これにより、円筒部３３及びターンテーブル３２が情報記録媒体８に対して嵌合状態となるとともに、ターンテーブル３２が裸媒体搭載面９よりも高い位置に移動するため、情報記録媒体８はターンテーブル３２上に保持された状態で裸媒体搭載面９から離れる。このように、情報記録媒体８をターンテーブル３２上に載置させるためのスピンドルモータ１２の昇降動作が、このスピンドルモータ１２がシャーシ１内に入り込む前に行われることとなる。よって、媒体着脱動作時に必要なスピンドルモータ１２の昇降移動空間がシャーシ１の外部空間に存在することとなり、シャーシ１内にこの空間を確保する必要がないため、装置全体の薄型化が可能となる。ちなみに、従来であれば、図６（ｄ）に示す例においてシャーシ１内で回路基板６１とスピンドルモータ１２との間にスピンドルモータ昇降移動空間を確保しなくてはならず、薄型化できない。
【００３７】
その後、図６（ｄ）に示すようにローディングトレイ４がシャーシ１内に完全に挿入された状態ではターンテーブル３２がクランパ３５に対向する位置関係となり（突出部３６により位置決めされる）、クランパ３５内の鉄板をターンテーブル３２側の永久磁石が吸引することにより、情報記録媒体８はターンテーブル３２とクランパ３５とより挟持され、スピンドルモータ１２の回転に従い回転し得る状態となる。後は、光ピックアップ装置２１側の動作に従い再生等の動作が行われる。
【００３８】
以上の手順は、８ｃｍの情報記録媒体の場合も同様である。
【００３９】
図７を参照して、ＣＤ−ＲＷ等のキャディ６に内蔵された情報記録媒体５をドライブ装置に装着する手順について説明する。まず、図７（ａ）はディスク（キャディ６）未装着時の状態を示し、ローディングトレイ４はシャーシ１から外部に突出した状態にある（突出位置）。このとき、移動プレート５１上に支持されたスピンドルモータ１２は裸媒体搭載面９，１０から傾斜部３４及び突出部３５のみが突出する位置に規制されており、キャディ搭載面７より低い位置にある。よって、情報記録媒体５が内蔵されたキャディ６をスピンドルモータ１２に阻害されることなく図７（ｂ）に示すようにキャディ搭載面７上に載置させることができる。もっとも、傾斜部３４及び突出部３５が裸媒体搭載面９，１０からも退避するような低い位置までスピンドルモータ１２を退避させないので、必要最小限の退避位置に抑えることができ、スピンドルモータ１２の昇降移動量（空間）を最小限に抑えることができる。
【００４０】
このようにキャディ６を載置させた後、使用者がローディングトレイ４をシャーシ１内に押し込む操作を行なうと、図７（ｃ）に示す過程を経て、図７（ｄ）に示すような挿入位置に保持される。ここに、途中経過を示す図７（ｃ）では、スピンドルモータ１２がシャーシ１の外部にあるが、この位置に達するまでの過程において、ピン５５がガイド溝５６の退避位置用変位部５６ａ内を移動している間に、図４に示すように、シャッタオープナ４７のローラ４８がシャッタ４４に係止し、ローディングトレイ４の押し込みに従い、このシャッタ４４を開放方向に移動させてキャディ６の開口部４３を開放させる。このように開口部４３が完全に開放された状態で、ローディングトレイ４がさらに押し込まれることにより、ピン５５がガイド溝５６の退避位置用変位部５６ａから傾斜部５６ｃにガイドされて装着位置用変位部５６ｂへ移行することにより、移動プレート５１、リンク５３、ガイド溝５６等の作用に基づき、スピンドルモータ１２がディスク側に押し上げられる。この段階では、開口部４３が完全に開放されているので、スピンドルモータ１２を上昇変位させても支障はない。これにより、スピンドルモータ１２はその先端の傾斜部３４をガイドとして円滑に円筒部３３及びターンテーブル３２が情報記録媒体８に対して嵌合状態となるとともに、ターンテーブル３２がキャディ搭載面７よりも高い位置に移動し、内蔵のクランパ４２に対向する位置関係となり（突出部３６により位置決めされる）、クランパ４２内の鉄板をターンテーブル３２側の永久磁石が吸引することにより、情報記録媒体５はターンテーブル３２とクランパ４２とよりケース４１内で浮いた状態で挟持され、スピンドルモータ１２の回転に従い回転し得る可動可能な状態となる。このとき、キャディ位置決めピン６０がキャディ６の位置決め穴に嵌合することにより、キャディ６の位置決めがなされる。このように、情報記録媒体５をターンテーブル３２上に載置させるためのスピンドルモータ１２の昇降動作が、このスピンドルモータ１２がシャーシ１内に入り込む前に行われることとなる。よって、媒体着脱動作時に必要なスピンドルモータ１２の昇降移動空間がシャーシ１の外部空間に存在することとなり、シャーシ１内にこの空間を確保する必要がないため、装置全体の薄型化が可能となる。
【００４１】
その後、図７（ｄ）に示すようにローディングトレイ４がシャーシ１内に完全に挿入された状態では光ピックアップ装置２１が開放状態の開口部４３を介して情報記録媒体５に対向し得る状態となり、光ピックアップ装置２１側の動作に従い再生等の動作が行われる。このときのローディングトレイ４の押し込み操作に際して、クランピングプレート４５がキャディ６により押されて奥側に移動し、最終的に図７（ｄ）に示すように最奥部に押し込まれた状態となる。これは、キャディ６の場合、内蔵のクランパ４２を用いるため、裸ディスク用のクランパ３５は不要だからである。
【００４２】
キャディ６を取出すときには、逆の動作となる。従って、図７（ｃ）から図７（ｂ）に移行する過程では、スピンドルモータ１２が情報記録媒体５側から退避変位した後で、シャッタオープナ４７が遮蔽方向へ動作してシャッタ４４を遮蔽状態にする。
【００４３】
なお、本実施の形態では、光ピックアップ装置２１及びスレッジ駆動機構２９をシャーシ１側に設けたが、図８に概略的に示すようにローディングトレイ４側に搭載してもよい。このような構成によっても、スピンドルモータ１２の昇降移動空間はシャーシ１の外部に持たせることができ、シャーシ１等の装置の薄型化が可能で、キャディ６と裸ディスクとの双方に適用できる。この場合、光ピックアップ装置２１がローディングトレイ４とともに外部に露出することから対物レンズ２２に手を触れ得ることとなり、光ピックアップ装置２１の汚れ、破損等の問題があるものの、実用上、支障なければ、光ピックアップ装置２１をシャーシ１内に内蔵させるよりローディングトレイ４に搭載させる方が構成が簡単となる。
【００４４】
【発明の効果】
請求項１記載の発明によれば、ディスク駆動手段が情報記録媒体を脱着するために移動する移動空間を装置筐体外部に設けることが可能であり、装置の薄型化を図れ、さらに、光ピックアップがシャーシ内に設けられており、常に装置筐体内部にあるため、ディスク装着／排出時であっても、ユーザの手や指が触れることがなく、光ピックアップにごみ、埃などのコンタミネーションが付着する等の不具合を回避することができる。また、裸ディスク状の情報記録媒体であってもキャディに内蔵された情報記録媒体であっても、突出位置にあるローディングトレイ上でディスク駆動手段に着脱させることができ、媒体の形態を問わず、その情報の再生、記録又は消去が可能となる。
【００４５】
請求項２記載の発明によれば、請求項１記載の発明と同様であるが、光ピックアップがローディングトレイに設けられているため、光ピックアップに手が触れる可能性はあるものの、構成をより一層簡単にすることができる。
【００４６】
請求項３記載の発明によれば、ローディングトレイが突出位置から挿入位置に移動する際にはシャッタオープナによりシャッタを移動させてキャディの開口部を開放させた後に、ディスク駆動手段がキャディの開口部を通して情報記録媒体に近づいて装着し、ローディングトレイが挿入位置から突出位置に移動する際には、ディスク駆動手段が情報記録媒体から離れてキャディの開口部外に位置した後、シャッタオープナがキャディの開口部を閉じるので、キャディが装填された場合にはローディングトレイの移動に連動して自動的にシャッタを開閉することができ、請求項１又は２記載の発明の実現が容易となる。
【００４７】
請求項４記載の発明によれば、情報記録媒体とディスク駆動手段とが干渉することがなく、請求項１又は２記載の発明の実現が容易となる。
【００４８】
請求項５記載の発明によれば、ディスク駆動手段の情報記録媒体着脱時の移動量を小さくすることができ、装置を薄型化しつつ請求項１又は２記載の発明を実現できる。
【００４９】
請求項６記載の発明によれば、キャディが装填された場合には容易にキャディと情報記録媒体とディスク駆動手段との位置関係を定めることが可能であり、請求項１又は２記載の発明の実現が容易となる。
請求項７記載の発明によれば、ローディングトレイに前記キャディが搭載されたときは、挿入位置においてクランパはキャディの移動に応じて退避するため、裸ディスク状の情報記録媒体であってもキャディに内蔵された情報記録媒体であっても装置内に装着脱することが可能となる。
【図面の簡単な説明】
【図１】本発明の一実施の形態を示すトレイ突出状態の概略斜視図である。
【図２】情報記録媒体を示す平面図である。
【図３】スピンドルモータの先端付近の構造を示す断面図である。
【図４】キャディ、クランピングプレート及びシャッタオープナ等を示す概略底面図である。
【図５】モータ昇降動作を順に示す概略断面図である。
【図６】裸ディスク装着の場合の動作を順に示す概略断面図である。
【図７】キャディ装着の場合の動作を順に示す概略断面図である。
【図８】変形例をを示すトレイ突出状態の概略斜視図である。
【符号の説明】
１      シャーシ
４      ローディングトレイ
５      情報記録媒体
６      キャディ
７      キャディ搭載面
８      情報記録媒体
９，１０      裸媒体搭載面
１２      ディスク駆動手段
２１      光ピックアップ
２９      スレッジ駆動機構
３１      中心穴
３２      ターンテーブル
３３      円筒部
３４      傾斜部
４１      ケース
４３      開口部
４４      シャッタ
４７      シャッタオープナ
５１      移動プレート
５７      ディスク駆動手段位置制御機構
５８      ディスク駆動手段・シャッタオープナ動作タイミング制御機構
６０      キャディ位置決めピン
【図１】
0003717677.tif 000002
【図２】
0003717677.tif 000003
【図３】
0003717677.tif 000004
【図４】
0003717677.tif 000005
【図５】
0003717677.tif 000006
【図６】
0003717677.tif 000007
【図７】
0003717677.tif 000008
【図８】
0003717677.tif 000009